(57)【特許請求の範囲】
【請求項１】
商用電源に接続される主電源回路と、
上記商用電源と、上記主電源回路との間に設けられるスイッチ素子と、
商用電源電圧を、第１の直流電圧と、該第１の直流電圧よりも低いレベルとなる第２の直流電圧とに変換する変換手段と、
上記第１の直流電圧を用いて上記スイッチ素子を閉状態とし、上記第２の直流電圧を用いて上記閉状態を維持するリレーコイルと、
上記変換手段から直流電圧が出力されるが上記主電源回路からの駆動電圧が非出力となる場合、上記リレーコイルに対して上記第１の直流電圧を印加する制御手段と
を具えることを特徴とするリレー駆動装置。
【発明の詳細な説明】
【０００１】
【発明の属する技術分野】
本発明はリレー駆動装置に関し、例えばテレビジョン装置内のリレー駆動回路に適用して好適なものである。
【０００２】
【従来の技術】
従来、リモートコントローラ等から供給された操作信号により例えばテレビジョン装置内の主電源スイッチの開閉を行うようになされたリレー駆動回路がある。
【０００３】
このリレー駆動回路は、内部に主電源スイッチ、リレーコイル及び可動鉄片が設けられており、主電源スイッチは、可動鉄片がリレーコイルによって当該リレーコイル内の鉄心に吸着されたとき、この吸着動作と連動してオン動作するようになされている。
【０００４】
主電源スイッチをオン動作させる場合、ユーザがリモートコントローラ等の入力手段を介してテレビジョン装置内の主電源スイッチを入れる所定の入力操作を行うと、リレー駆動回路は、リモートコントローラ等から供給された操作信号を受け、これによりリレーコイルに定格電圧を供給する。
【０００５】
定格電圧は、リレーコイルに対して可動鉄片を可動及び吸着するに十分な磁力を発生させ、これによりリレーコイルは、リレーコイル内の鉄心と離間していた可動鉄片を可動させると共に、鉄心に吸着させ、吸着動作と連動して動作する主電源スイッチをオン動作させる。
【０００６】
主電源スイッチがオン動作した（すなわち可動鉄片がリレーコイルの鉄心に吸着された）状態において、リレー駆動回路は、このとき供給していた定格電圧に換えて保持電圧を供給する。
【０００７】
保持電圧は、可動鉄片を鉄心に吸着しているリレーコイルに対して、吸着状態を保持するだけの磁力を発生させ、これによりリレーコイルは、可動鉄片の吸着を保持する。これにより主電源スイッチのオン状態は維持され、主電圧源はテレビジョン装置内の各回路部に供給される。
【０００８】
【発明が解決しようとする課題】
ところでかかる構成のリレー駆動回路おいては、可動鉄片の吸着を保持するための電圧（保持電圧Ｖ２）が定格電圧Ｖ１のおよそ１／２程度になされており、この場合の消費電力は主電源スイッチのオン状態を常時定格電圧Ｖ１にて維持する場合の消費電力と比較すると、およそ１／４程度になる。
【０００９】
ところが、主電源スイッチがオン状態に維持された状態において、例えば交流（ＡＣ:Alternating Current）電圧の低下や外部の衝撃等により可動鉄片が鉄心から離脱した場合、リレー駆動回路は、再び可動鉄片を吸着させて主電源スイッチをオン動作状態に復帰させることが困難になるという問題があった。
【００１０】
本発明は以上の点を考慮してなされたもので、省エネルギーを計りながら、動作信頼性を高めることができるリレー駆動装置を提案しようとするものである。
【００１１】
【課題を解決するための手段】
かかる課題を解決するため本発明は、リレー駆動装置であって、商用電源に接続される主電源回路と、商用電源と主電源回路との間に設けられるスイッチ素子と、商用電源電圧を、第１の直流電圧と、該第１の直流電圧よりも低いレベルとなる第２の直流電圧とに変換する変換手段と、第１の直流電圧を用いてスイッチ素子を閉状態とし、第２の直流電圧を用いて閉状態を維持するリレーコイルと、上記変換手段から直流電圧が出力されるが上記主電源回路からの駆動電圧が非出力となる場合、上記リレーコイルに対して上記第１の直流電圧を印加する制御手段とを有する。
【００１２】
【発明の実施の形態】
以下図面について、本発明の一実施の形態を詳述する。
【００１３】
（１）第１の実施の形態
図１において、５０は全体としてテレビジョン装置内のリレー駆動回路を示し、商用電源入力端７から供給される交流（ＡＣ:Alternating Current）電圧は、トランスＴ１において定格レベルの直流（ＤＣ:Direct Current ）電圧に変換され、入力端４に供給されると共に、保持レベルの直流電圧に変換され、入力端５に供給される。このとき入力端４（図１）に供給される直流電圧は、リレーコイルＲＬ１に対して可動鉄片１５を可動及び吸着させ得る磁力を発生させることができる定格電圧Ｖ１であり、入力端５に供給される直流電圧は、定格電圧Ｖ１のおよそ１／２であり、可動鉄片１５を吸着しているリレーコイルＲＬ１に対して吸着状態を保持し得るだけの磁力を発生させることができる保持電圧Ｖ２である。
【００１４】
また主電源スイッチＳＷがオン動作状態が維持されている場合、商用電源入力端７から供給される交流電圧は、主電源回路３において直流電圧に変換され、テレビジョン装置内の各回路部（図示せず）に供給される。テレビジョン装置の各回路部は、リレー駆動回路５０から供給された直流電圧に基づいて種々の処理を行うようになされている。
【００１５】
因みにリレーコイルＲＬ１には、鉄心１６が挿通されており、リレーコイルＲＬ１に離間された可動鉄片１５がリレーコイルＲＬ１内の鉄心１６に吸着されたとき、主電源スイッチＳＷは、この吸着動作と連動してオン動作するようになされている。
【００１６】
主電源スイッチＳＷをオン動作させる場合、ユーザが例えばリモートコマンダ等の入力手段２から主電源スイッチを入れる所定の入力操作を行うと、入力手段２は当該操作に応じた操作信号Ｓ１をコントローラ１に供給する。
【００１７】
コントローラ１には定格電圧Ｖ１を入力端４を介してリレーコイルＲＬ１に供給するＰＮＰ型トランジスタＱ２と、保持電圧Ｖ２を入力端５を介してリレーコイルＲＬ１に供給するダイオードＤ２と、リレーコイル電流をオン−オフ動作するＮＰＮ型トランジスタＱ１とが接続されており、コントローラ１は入力手段２から操作信号Ｓ１が供給されると、トランジスタＱ１のベース電圧を上げると共に、トランジスタＱ２のベース電圧を下げるようになされている。
【００１８】
これによりトランジスタＱ２はオン動作し、入力端４を介して定格電圧Ｖ１をリレーコイルＲＬ１に供給する（図２（Ｂ）ｔ0 ）と共に、トランジスタＱ１はオン動作し、リレーコイルＲＬ１に定格電圧Ｖ１を供給する（図２（Ａ）ｔ0 ）。
【００１９】
従ってリレーコイルＲＬ１には、入力端４を介して定格電圧Ｖ１が供給されることにより、リレーコイルＲＬ１は、このときリレーコイルＲＬ１に定格電流が流れることで得られる磁力によりリレーコイル内の鉄心１６に可動及び吸着（図２（Ｄ）ｔ1 ）させ、これにより主電源スイッチをオン動作させる。
【００２０】
このようにして主電源スイッチＳＷはオン動作される。因みにこのとき定格電圧Ｖ１よりも保持電圧Ｖ２のほうが大きいため、ダイオードＤ２は逆バイアスとなり、非導通である。（図２（Ｃ）ｔ0 ）。
【００２１】
ここで図３は、スイッチ動作部２０におけるリレーコイルＲＬ１と主電源スイッチＳＷとの動作関係を示し、台座１０に固定接点１１及び可動接点１２でなる主電源スイッチＳＷと、可動鉄片保持部１３とが設けられており、可動接点１２には伝達部材１４を介して可動鉄片１５が機械的に接続されている。この可動鉄片１５は、可動鉄片保持部１３により保持されており、当該可動鉄片保持部１３との接点を中心に矢印ａ方向及び矢印ｂ方向へ回動するようになされている。
【００２２】
また可動鉄片保持部１３には、コイルに円柱形状の鉄心１６が挿通されてなるリレーコイルＲＬ１が設けられており、リレーコイルＲＬ１に電圧が供給されていない状態においては、可動鉄片１５が鉄心１６から離間した状態を保持するようになされている。
【００２３】
すなわち可動鉄片１５は、鉄心１６に吸着されていない状態では、固定接点１１に可動接点１２が接しない（主電源スイッチＳＷ（図１）オフ状態）ようになされている。
【００２４】
ここで入力端４（図１）及びコイル入力端１７を順次介して定格電圧Ｖ１が供給されると、リレーコイルＲＬ１には、可動鉄片１５を可動させるだけの磁力が矢印ｃ方向に発生し、これによりリレーコイルＲＬ１は、可動鉄片１５を鉄心１６に吸着させる。
【００２５】
これにより可動鉄片１５は、矢印ａ方向に回動することにより伝達部材１４を矢印ｄ方向に移動させる。これにより可動接点１２は、伝達部材１４が矢印ｄ方向に移動されたことにより、固定接点１１に接する（主電源スイッチＳＷ（図１）オン動作）。
【００２６】
このようにして主電源スイッチＳＷは、リレーコイルＲＬ１が可動鉄片１５を鉄心１６に可動及び吸着させることによりオン動作する。
【００２７】
またコントローラ１が入力手段２から操作信号Ｓ１を受けたことにより、リレーコイルＲＬ１が可動鉄片１５を鉄心１６に可動及び吸着し、主電源スイッチＳＷがオン動作した状態から所定の時間が経過すると、コントローラ１はトランジスタＱ２のベース電圧を上げるようになされており、これによりトランジスタＱ２はオフ動作し、入力端４を介して供給していた定格電圧Ｖ１を遮断する（図２（Ｂ）ｔ2 ）。
【００２８】
このときコントローラ１はトランジスタＱ１のオン動作を維持させていることにより、リレーコイルＲＬ１には、入力端５及びダイオードＤ２を順次介して保持電圧Ｖ２のみが供給される（図２（Ｃ）ｔ2 ）ことになる。その結果図３において、リレーコイルＲＬ１には、可動鉄片１５の吸着を保持するだけの磁力が矢印ｃ方向に発生する。この場合可動鉄片１５と鉄心１６との間には鉄心１６に可動鉄片１５が吸着していることにより、磁気抵抗が減少しており、これによりリレーコイルＲＬ１は、保持電圧だけで鉄心１６に吸着されている可動鉄片１５の吸着状態を保持する。従って主電源スイッチＳＷはオン動作状態のまま維持される。
【００２９】
これにより主電源回路３（図１）には、継続して交流電圧が供給されることになり、主電源回路３は、商用電源入力端７から供給される交流電圧を直流電圧に変換してテレビジョン装置内の各回路部（図示せず）に出力する。これによりテレビジョン装置の各回路部は、種々の処理を行うことができる。
【００３０】
因みにダイオードＤ２は、逆方向（接続中点６から入力端５）に供給される電流（電圧）を防ぐために設けられており、リレーコイルＲＬ１と並列に接続されたダイオードＤ１は、サージ吸収用のダイオードである。
【００３１】
このように、コントローラ１は操作信号Ｓ１が供給されてから所定の時間が経過すると、保持電圧Ｖ２のみをリレーコイルＲＬ１に供給させる。従ってこのときの消費電力は、保持電圧Ｖ２が定格電圧Ｖ１のおよそ１／２であることにより、可動鉄片１５を可動及び吸着させる定格電圧Ｖ１だけをリレーコイルＲＬ１に供給させたときの消費電力よりもおよそ１／４程度になる。従ってリレー駆動回路５０は、省エネルギーを計ることができる。
【００３２】
さらに保持電圧Ｖ２のみがリレーコイルＲＬ１に供給されている状態（すなわち主電源スイッチＳＷのオン動作状態が維持されている状態）において、コントローラ１は、定期的にトランジスタＱ２のベース電圧を一定時間（図２（Ｃ）ｔ6 〜ｔ8 ）下げるようになされている。
【００３３】
従って制御手段としてのコントローラ１は、定期的に可動鉄片１５を鉄心１６に可動及び吸着させるための定格電圧Ｖ１をリレーコイルＲＬ１に供給させる（図２（Ｂ）ｔ6 ）。従って、例えばＡＣ電圧の一瞬の低下（すなわちリレーコイルＲＬ１に供給されている保持電圧Ｖ２の低下（図２（Ｃ）ｔ3 〜ｔ5 ）に応じてこのときリレーコイルＲＬ１に供給される電圧（電流）が低下（図２（Ｄ）ｔ3 〜ｔ5 ））し、これにより可動鉄片１５が鉄心１６から離間（すなわち主電源スイッチＳＷがオフ状態となる）した場合においても、リレーコイルＲＬ１には、入力端４から定格電圧Ｖ１が定期的に供給される（図２（Ｃ）ｔ6 ）ことにより、リレーコイルＲＬ１は、このとき得られる磁力により可動鉄片１５を再び鉄心１６に可動及び吸着（図２（Ｄ）ｔ6 〜ｔ7 ）させることができ、これにより主電源スイッチＳＷを再びオン動作させる。
【００３４】
因みに主電源スイッチＳＷをオフ動作させる場合、ユーザが例えばリモートコマンダ等の入力手段２から主電源スイッチを切る所定の入力操作を行うと、入力手段２は当該操作に応じた操作信号Ｓ１をコントローラ１に供給する。これによりコントローラ１は入力手段２から操作信号Ｓ１が供給されると、トランジスタＱ１のベース電圧を下げると共に、トランジスタＱ２のベース電圧を上げるようになされており、これによりリレーコイルＲＬ１には、定格電圧が供給されない。従って可動鉄片１５は、リレーコイルＲＬ１内の鉄心１６から離間することとなり、これにより主電源スイッチＳＷはオフ動作する。
【００３５】
以上の構成において、コントローラ１は、トランジスタＱ１及びＱ２のオン動作又はオフ動作を制御することにより、定期的に定格電圧Ｖ１をリレーコイルＲＬ１に供給させる。これにより、リレーコイルＲＬ１には定期的に定格電流が供給される。この場合リレーコイルＲＬ１は、鉄心１６に対して、定期的に可動鉄片１５を可動及び吸着させ得るだけの磁力を与える。
【００３６】
従ってコントローラ１は、可動鉄片１５がリレーコイルＲＬ１内の鉄心１６から離間した場合においても、定期的に定格電圧をリレーコイルＲＬ１に供給させていることにより、離間した可動鉄片１５を再び鉄心１６に可動及び吸着させることができる。
【００３７】
またコントローラ１は、定格電圧Ｖ１をリレーコイルＲＬ１に供給させていない際には、保持電流（保持電圧Ｖ２）だけをリレーコイルＲＬ１に供給させる。これによりコントローラ１は、リレー駆動回路５０に対して省エネルギーを計ることができる。
【００３８】
以上の構成によれば、保持電圧をリレーコイルＲＬ１に供給している際、定期的に定格電圧をリレーコイルＲＬ１に供給するように制御したことにより、省エネルギーを計りながら、可動鉄片１５が鉄心１６から離間した場合においても自動的に復帰させることができる。これによりリレー駆動回路は、テレビジョン装置の各回路部（図示せず）に対して主電源電圧の供給を自動的に復帰させることができ、かくして省エネルギーを計りながら、動作信頼性を高めることができる。
【００３９】
（２）第２の実施の形態
図１との対応部分に同一符号を付して示す図４において、６０は全体としてテレビジョン装置内のリレー駆動回路を示し、主電源スイッチＳＷをオン動作させる場合、ユーザが例えばリモートコマンダ等の入力手段２から主電源を入れる所定の入力操作を行うと、入力手段２は当該操作に応じて供給される操作信号Ｓ１をコントローラ１１に供給する。
【００４０】
コントローラ１１には入力端４を介して定格電圧Ｖ１を供給するＰＮＰ型トランジスタＱ２と、入力端５を介して保持電圧Ｖ２（定格電圧Ｖ１のおよそ１／２である）を供給するダイオードＤ２と、リレーコイル電流をオン−オフ動作するＮＰＮ型トランジスタＱ１とが接続されており、駆動手段としてのコントローラ１１は入力手段２から操作信号Ｓ１が供給されると、トランジスタＱ１のベース電圧を上げる共に、トランジスタＱ２のベース電圧を下げるようになされている。
【００４１】
これによりトランジスタＱ２はオン動作し、入力端４を介して定格電圧Ｖ１をリレーコイルＲＬ１に供給すると共に、トランジスタＱ１はオン動作し、リレーコイルＲＬ１に定格電圧Ｖ１を供給する。
【００４２】
従ってリレーコイルＲＬ１には、入力端４を介して定格電圧Ｖ１が供給されることにより、リレーコイルＲＬ１は、このときリレーコイルＲＬ１に定格電流が流れることで得られる磁力によりリレーコイル内の鉄心１６に可動及び吸着させることにより、主電源スイッチＳＷをオンさせる。因みにこのとき定格電圧Ｖ１よりも保持電圧Ｖ２のほうが大きいため、ダイオードＤ２は逆バイアスとなり、非導通である。
【００４３】
またリレーコイルＲＬ１が可動鉄片１５を鉄心１６に可動及び吸着し、主電源スイッチＳＷがオン動作した状態から所定の時間が経過すると、コントローラ１１はトランジスタＱ２のベース電圧を上げるようになされており、これによりトランジスタＱ２はオフ動作し、入力端４を介して供給していた定格電圧Ｖ１を遮断する。
【００４４】
このとき保持手段としてのコントローラ１１はトランジスタＱ１のオン動作を維持させていることにより、リレーコイルＲＬ１には、入力端５及びダイオードＤ２を順次介して保持電圧Ｖ２のみが供給されることになる。これによりリレーコイルＲＬ１は、鉄心１６に吸着されている可動鉄片１５の吸着状態を保持し、これにより主電源スイッチＳＷはオン状態のまま維持される。
【００４５】
このように、コントローラ１１は操作信号Ｓ１が供給されてから所定の時間が経過すると、保持電圧Ｖ２のみをリレーコイルＲＬ１に供給させる。このときの消費電力は、保持電圧Ｖ２が定格電圧Ｖ１のおよそ１／２であることにより、定格電圧Ｖ１だけをリレーコイルＲＬ１に供給させたときの消費電力よりもおよそ１／４程度になる。これによりリレー駆動回路６０は、省エネルギーを計ることができる。
【００４６】
ここでコントローラ１１は、主電源回路３の出力電圧（出力電流）及びトランスＴ１の出力電圧を常時監視しており、トランスＴ１の出力電圧が供給されているにもかかわらず、主電源回路３の出力電圧が供給されていないことを検知すると、コントローラ１１は、例えば外部の衝撃等、鉄心１６から可動鉄片１５が離間し、主電源スイッチＳＷがオフ状態であると判断することにより、トランジスタＱ２のベース電圧を下げるようになされている。
【００４７】
従ってトランジスタＱ２は、リレーコイルＲＬ１に定格電圧Ｖ１を供給することになり、このときリレーコイルＲＬ１には、定格電圧Ｖ１が供給されることになる。従って可動鉄片１５は、リレーコイルＲＬ１内の鉄心１６に可動及び吸着されることになり、これにより主電源スイッチＳＷは、オン状態となる。
【００４８】
このようにリレー駆動回路６０においては、例えば外部の衝撃等による可動鉄片１５がリレーコイルＲＬ１から離間した場合においても、これを検知しすることにより、再びリレーコイルＲＬ１に定格電圧Ｖ１を供給させることができる。すなわちリレー駆動装置６０は、可動鉄片１５の可動及び吸着を自動的に復帰させることができる。
【００４９】
さらに監視手段としてのコントローラ１１は、トランスＴ１の出力電圧を常時監視しており、トランスＴ１の出力電圧が所定の電圧レベルよりも低下（すなわち商用電源（図示せず）の電圧低下）していることを検知すると、制御手段としてのコントローラ１１は再びトランジスタＱ２のベース電圧を下げるようになされている。これによりトランジスタＱ２は、再び定格電圧Ｖ１をリレーコイルＲＬ１に供給する。
【００５０】
従ってリレーコイルＲＬ１には、入力端４を介して定格電圧Ｖ１が再び供給されることになり、その結果リレーコイルＲＬ１には、定格電圧Ｖ１が供給されていることになり、これによりリレーコイルＲＬ１は、可動鉄片１５を鉄心１６に一段と強固に吸着させる。
【００５１】
このようにリレー駆動回路６０は、商用電源（図示せず）の電圧低下による可動鉄片１５のリレーコイルＲＬ１からの離間を回避することになり、テレビジョン装置の各回路部（図示せず）に対して常時主電源圧を供給することができ、かくして動作信頼性を高めることができる。
【００５２】
因みに主電源スイッチＳＷをオフ動作させる場合、ユーザが例えばリモートコマンダ等の入力手段２から主電源スイッチを切る所定の入力操作を行うと、入力手段２は当該操作に応じた操作信号Ｓ１をコントローラ１１に供給する。これによりコントローラ１１は入力手段２から操作信号Ｓ１が供給されると、トランジスタＱ１のベース電圧を下げると共に、トランジスタＱ２のベース電圧を上げるようになされており、これによりリレーコイルＲＬ１には、定格電圧が供給されない。従って可動鉄片１５は、リレーコイルＲＬ１内の鉄心１６から離間することとなり、これにより主電源スイッチＳＷはオフ動作する。
【００５３】
以上の構成において、コントローラ１１は、主電源回路３の出力電圧（出力電流）及びトランスＴ１の出力電圧を常時監視することにより、トランスＴ１の出力電圧が供給されているにもかかわらず、主電源回路３の出力電圧が供給されていないことを検知すると、トランジスタＱ２を制御し、リレーコイルＲＬ１に再び定格電圧Ｖ１を供給させ、離間した可動鉄片１５をリレーコイルＲＬ１内の鉄心１６に吸着させる。
【００５４】
またコントローラ１１は、常時電圧（電流）の変化を監視することにより、リレーコイルＲＬ１に与えられている保持電圧Ｖ２では可動鉄片１５が離間してしまうような電圧低下を検知すると、トランジスタＱ２を制御し、リレーコイルＲＬ１に対して予め供給されている保持電圧Ｖ２に代えて定格電圧Ｖ１を供給させる。
【００５５】
これによりコントローラ１１は、リレーコイルＲＬ１に対して可動鉄片１５をより強固に吸着させることにより、商用電源（図示せず）の電圧低下が生じた場合においてもリレーコイルＲＬ１に吸着させておくことができる。
【００５６】
さらにコントローラ１１は、定格電圧Ｖ１をリレーコイルＲＬ１に供給させていない際には、保持電流（保持電圧Ｖ２）だけをリレーコイルＲＬ１に供給させる。これによりコントローラ１１は、リレー駆動回路５０に対して省エネルギーを計ることができる。
【００５７】
以上の構成によれば、電圧（電流）の変化を常時監視し、当該電圧（電流）の変化を検知した場合には定格電圧Ｖ１をリレーコイルＲＬ１に供給するように制御したことにより、省エネルギーを計りながら、常時リレーコイルＲＬ１に可動鉄片１５の吸着状態を維持させておくと共に、可動鉄片１５が鉄心１６から離間した場合においても自動的に復帰させることができる。かくしてリレー駆動回路は、省エネルギーを計りながら、テレビジョン装置内の各回路部（図示せず）に対して常時主電圧源を供給することができ、かくして動作信頼性が高まる。
【００５８】
（３）第３の実施の形態
図１との対応部分に同一符号を付して示す図５において、７０は全体としてテレビジョン装置内のリレー駆動回路を示し、主電源スイッチＳＷをオン動作させる場合、ユーザが例えばリモートコマンダ等の入力手段２から主電源を入れる所定の入力操作を行うと、入力手段２は当該操作に応じて供給される操作信号Ｓ１をコントローラ２１に供給する。
【００５９】
コントローラ２１には、ＮＰＮ型トランジスタＱ３と、入力端４を介して定格電圧Ｖ１を供給するＮＰＮ型トランジスタＱ４とが接続されており、コントローラ２１は入力手段を介して操作信号Ｓ１が供給されると、トランジスタＱ４のベース電圧を上げる。これによりトランジスタＱ４はオン動作し、定格電圧Ｖ１をリレーコイルＲＬ１に供給させる。
【００６０】
従ってリレーコイルＲＬ１には、入力端４を介して定格電圧Ｖ１が供給されることにより、リレーコイルＲＬ１は、当該リレーコイルＲＬ１に離間する可動鉄片１５を、このとき得られる磁力によりリレーコイル内の鉄心１６に可動及び吸着させることにより主電源スイッチＳＷをオンさせる。
【００６１】
またリレーコイルＲＬ１が可動鉄片１５を鉄心１６に可動及び吸着し、主電源スイッチＳＷがオン動作した状態から所定の時間が経過すると、トランジスタＱ４のベース電圧を下げると共に、トランジスタＱ３のベース電圧を上げるようになされている。
【００６２】
この場合定格電圧Ｖ１によりリレーコイルＲＬ１に供給される電流は、リレーコイルＲＬ１とトランジスタＱ３との間に直列で接続されている分圧抵抗Ｒ１により制限され、可動鉄片１５を吸着している鉄心１６に対してリレーコイルＲＬ１が吸着状態を保持させるだけの磁力を発生し得る保持電流となる。
【００６３】
これによりリレーコイルＲＬ１には、保持電流が供給され、その結果リレーコイルＲＬ１は、鉄心１６に吸着されている可動鉄片１５の吸着状態を保持し、これにより主電源スイッチＳＷはオン状態のまま維持される。
【００６４】
このようにコントローラ２１は操作信号Ｓ１が供給されてから所定の時間が経過すると、リレーコイルＲＬ１を介して直列に接続される抵抗Ｒ１に電流が流れる経路（リレーコイル１から抵抗Ｒ１を介してトランジスタＱ３）に切り換える（すなわちトランジスタＱ４をオフ動作させると共にトランジスタＱ３をオン動作させる）。
【００６５】
このときリレーコイルＲＬ１における消費電力は、保持電圧Ｖ２が定格電圧Ｖ１のおよそ１／２であることにより、定格電圧Ｖ１だけをリレーコイルＲＬ１に供給させたときの消費電力よりもおよそ１／４程度になる。また抵抗Ｒ１の消費電力においても、端子４の電圧がおよそ１／２となるため、定格電圧Ｖ１だけをリレーコイルＲＬ１に供給させたときの消費電力よりもおよそ１／４程度になる。これによりコントローラ２１がリレーコイルＲＬ１を介して直列に接続される抵抗Ｒ１に電流が流れる経路に切り換えたときの消費電力は、リレーコイルＲＬ１における消費電力と、抵抗Ｒ１の消費電力との和であるため、定格電圧Ｖ１だけをリレーコイルＲＬ１に供給させたときの消費電力のおよそ１／２となる。これによりリレー駆動回路７０は、省エネルギーを計ることができる。
【００６６】
またコントローラ２１は抵抗Ｒ１に電流が流れる経路に切り換えてから定期的にトランジスタＱ４のベース電圧を一定時間上げるようになされている。
【００６７】
これによりコントローラ２１は、トランジスタＱ４を定期的にオン動作させることになり、リレーコイルＲＬ１に供給されていた保持電流に換えて、元の定格電流をリレーコイルＲＬ１に供給し得る経路（リレーコイル１からトランジスタＱ４）に定期的に切り換えることになる。
【００６８】
従って、例えばＡＣ電圧の一瞬の低下等により可動鉄片１５が鉄心１６から離間（すなわち主電源スイッチＳＷがオフ状態となる）した場合においても、リレーコイルＲＬ１には、入力端４から定格電流が定期的に供給されることにより、リレーコイルＲＬ１は、このとき得られる磁力により可動鉄片１５を再びリレーコイルＲＬ１内の鉄心１６に可動及び吸着させることができ、これにより主電源スイッチＳＷを再びオン動作させる。
【００６９】
以上の構成において、コントローラ２１は、トランジスタＱ３及びＱ４のオン動作又はオフ動作を制御することにより、リレー駆動回路に設けた抵抗Ｒ１に電流が流れる経路と流れない経路を定期的に所定の時間分だけ切り換える。これによりコントローラ２１は、１つの電圧源（定格電圧）からリレーコイルＲＬ１に対して定格電流又は保持電流を定期的に切り換えて供給することができる。
【００７０】
またコントローラ２１は、定期的に定格電流をリレーコイルＲＬ１に供給することにより、可動鉄片１５がリレーコイルＲＬ１から離脱した場合においても、リレーコイルＲＬ１には定期的に定格電流が供給されていることにより、離脱した可動鉄片１５を再び鉄心１６に吸着させる。
【００７１】
さらにコントローラ２１は、定格電圧をリレーコイルＲＬ１に供給させていない際には、保持電圧Ｖ２だけをリレーコイルＲＬ１に供給させる。これによりコントローラ２１は、リレー駆動回路７０に対して省エネルギーを計ることができる。
【００７２】
以上の構成によれば、リレーコイルＲＬ１に保持電圧を供給し得る経路から定格電流を供給し得る経路に定期的に所定の時間分だけ切り換えるように制御したことにより、可動鉄片１５が離脱した場合においても再び鉄心１６に吸着させることができる。これによりリレー駆動回路７０は、テレビジョン装置の各回路部（図示せず）に対して主電源電圧の供給を自動的に復帰させることができ、かくして動作信頼性を高めることができる。
【００７３】
なお第３の実施の形態においては、コントローラ２１がリレーコイルＲＬ１に保持電圧を供給し得る経路から定格電圧を供給し得る経路に定期的に所定の時間分だけ切り換える場合について述べたが、本発明はこれに限らず、第２の実施の形態において上述したように、主電源回路３の出力電圧を常時監視すると共に、トランスＴ１の出力電圧を常時監視し、検知した電圧（電流）の変化に応じて定格電圧を供給し得る経路に切り換えるようにしても良い。この場合もリレー駆動回路は、テレビジョン装置の各回路部（図示せず）に対して動作信頼性を高めることができる。
【００７４】
すなわち、主電源スイッチがオン動作した（すなわち可動鉄片１５がリレーコイルＲＬ１内の鉄心１６に吸着された）状態において、コントローラ２１は、主電源回路３の出力電圧（出力電流）及びトランスＴ１の出力電圧を常時監視し、トランスＴ１の出力電圧が供給されているにもかかわらず、主電源回路３の出力電圧が供給されていないことを検知すると、コントローラ２１は、例えば外部の衝撃等、鉄心１６から可動鉄片１５が離間し、主電源スイッチＳＷがオフ状態であると判断することにより、トランジスタＱ４をオン動作させ、リレーコイルＲＬ１に定格電圧Ｖ１を供給させる。従って離間した可動鉄片１５は、リレーコイルＲＬ１内の鉄心１６に再び吸着することになり、これにより主電源スイッチＳＷは、オン状態になる。従ってリレー駆動回路は、鉄心１６から可動鉄片１５が離間した場合においても、これを検知することにより再びリレーコイルＲＬ１に定格電圧Ｖ１を供給させることができる。すなわちリレー駆動回路は、可動鉄片１５の可動及び吸着を自動的に復帰させることになり、テレビジョン装置の各回路部（図示せず）に対して主電源電圧の供給を自動的に復帰させることができ、かくして動作信頼性を高めることができる。
【００７５】
また主電源スイッチがオン動作した状態において、コントローラ２１は、トランスＴ１の出力電圧を常時監視し、トランスＴ１の出力電圧が電圧低下していることを検知したとき、再びトランジスタＱ４のベース電圧を上げ、リレーコイルＲＬ１に定格電圧を供給させる。これによりコントローラ２１は、保持電圧を供給していたときよりも可動鉄片１５を鉄心１６に一段と強固に吸着させる。これによりコントローラ２１は、商用電源（図示せず）の電圧低下による可動鉄片１５のリレーコイルＲＬ１からの離間を回避する。従ってリレー駆動回路は、テレビジョン装置の各回路部（図示せず）に対して常時主電源圧の供給をすることができ、かくして動作信頼性を高めることができる。
【００７６】
このように、主電源回路３の出力電圧を常時監視すると共に、トランスＴ１の出力電圧を常時監視し、検知した電圧（電流）の変化に応じて定格電圧を供給し得る経路に切り換えるようにしてもテレビジョン装置の各回路部（図示せず）に対して動作信頼性を高めることができる。
【００７７】
（４）第４の実施の形態
図１との対応部分に同一符号を付して示す図６において、８０は全体としてテレビジョン装置内のリレー駆動回路を示し、主電源スイッチＳＷをオン動作させる場合、ユーザが例えばリモートコマンダ等の入力手段２から主電源を入れる所定の入力操作を行うと、入力手段２は当該操作に応じて供給される操作信号Ｓ１をコントローラ３１に供給する。
【００７８】
コントローラ３１には、入力端４を介して定格電圧をリレーコイルＲＬ１に供給させるＮＰＮ型トランジスタＱ５が接続されており、コントローラ３１は入力手段を介して操作信号Ｓ１が供給されると、トランジスタＱ５のベースに所定のパルス幅変調（ＰＷＭ:Pulse Width Modulation)されたパルス信号Ｓ８０を与えることにより、トランジスタＱ５に対してオン（定格電圧をリレーコイルＲＬ１に供給させる）又はオフ（リレーコイルＲＬ１に供給していた定格電圧を遮断する）を行わせる。
【００７９】
この場合、コントローラ３１がトランジスタＱ５のベースに与えるパルス信号Ｓ８０は、図７に示すように、離間している可動鉄片１５を可動させ、鉄心１６に吸着させるまでの間（以下、これを可動時間と呼ぶ）において、論理レベルを「Ｈｉ」にする（図７（Ａ））ようになされており、これによりトランジスタＱ５は、オン状態が継続され、リレーコイルＲＬ１に定格電圧を供給する。このとき定格電圧によりリレーコイルＲＬ１に供給される定格電流は、可動時間内にピークに達し、これによりリレーコイルＲＬ１は可動鉄片１５を可動及び吸着する（図７（Ｂ））。
【００８０】
またパルス信号Ｓ８０は可動時間を越えると、期間Ａにおいて、論理レベルを「Ｈｉ」にする（図７（Ａ））ようになされており、これによりトランジスタＱ５は、オン状態が継続され、リレーコイルＲＬ１に定格電圧（定格電流）を供給する。
【００８１】
またパルス信号Ｓ８０は、期間Ａと同時間である期間Ｂにおいて、論理レベルを「Ｌｏ」にする（図７（Ａ））ようになされており、これによりトランジスタＱ５は、オフ状態となり、リレーコイルＲＬ１に供給していた定格電圧（定格電流）を遮断する。このときリレーコイルＲＬ１に流れる定格電流は、ダイオードＤ１の回生エネルギーによる電流が流れることにより、直ちに０になることなく徐々に減少する（図７（Ｂ））。
【００８２】
このようにパルス信号Ｓ８０は、可動時間を越えると、期間Ａ、期間Ｂ、期間Ａ、期間Ｂ・・・と、順次論理レベルを切り換える（すなわちトランジスタＱ５は、オン状態、オフ状態に順次切り換わる）ようになされており、これによりリレーコイルＲＬ１に流れる定格電流は、鉄心１６に吸着された可動鉄片１５を保持するだけの磁力をリレーコイルＲＬ１が発生し得るだけの保持電流まで徐々に減少する。因みにコントローラ３１は、リレーコイルＲＬ１に流れる電流が保持電流以下にならないようなパルス信号Ｓ８０を与えるようになされている。
【００８３】
このようにコントローラ３１は、パルス信号Ｓ８０をトランジスタＱ５のベースに与えることにより、可動鉄片１５を鉄心１６に可動及び吸着させる定格電流をリレーコイルＲＬ１に供給させ、可動鉄片１５が鉄心１６に吸着された後には、吸着状態を保持する保持電流をリレーコイルＲＬ１に供給させる。
【００８４】
従ってこのときの消費電力は、保持電流が定格電流のおよそ１／２であることにより、可動鉄片１５を鉄心１６に可動及び吸着させる定格電流だけをリレーコイルＲＬ１に供給させたときの消費電力よりもおよそ１／４程度になる。従ってリレー駆動回路８０は、省エネルギーを計ることができる。
【００８５】
ここでパルス信号Ｓ８０は、論理レベルを順次切り換える状態になされてから定期的に可動時間分だけ論理レベルを「Ｈｉ」にする（図７（Ａ））ようになされており、これにより、リレーコイルＲＬ１には、定期的に定格電流が流れることになる（図７（Ｂ））。
【００８６】
従ってＡＣ電圧の低下等により主電源スイッチＳＷがオフ状態となった場合においても、リレーコイルＲＬ１には、入力端４から定格電圧が定期的に供給されることにより、リレーコイルＲＬ１は、このとき得られる磁力により可動鉄片１５を再び鉄心１６に可動及び吸着させることができ、これにより主電源スイッチＳＷを再びオン動作させる。
【００８７】
以上の構成において、コントローラ３１は、パルス信号Ｓ８０をトランジスタＱ５に与えることにより、当該トランジスタＱ５がリレーコイルＲＬ１に供給する電流を制御する。
【００８８】
これによりコントローラ３１は、１つの電圧源（定格電圧）からリレーコイルＲＬ１に対して定格電流又は保持電流を定期的に切り換えて供給することができる。
【００８９】
またコントローラ３１は、定期的に可動時間分だけ論理レベルが「Ｈｉ」になされたパルス信号Ｓ８０をトランジスタＱ５に供給していることにより、リレーコイルＲＬ１には定期的に定格電流が供給される。
【００９０】
従ってコントローラ３１は、可動鉄片１５がリレーコイルＲＬ１から離脱した場合においても、リレーコイルＲＬ１に定格電流が定期的に供給されるように、パルス信号Ｓ８０にてトランジスタＱ５を制御していることにより、離脱した可動鉄片１５を再びリレーコイルＲＬ１に吸着させる。
【００９１】
以上の構成によれば、パルス信号Ｓ８０にてトランジスタＱ５のオンオフを制御したことにより、省エネルギーを計りながら、可動鉄片１５が離脱した場合においても再びリレーコイルＲＬ１に吸着させることができる。これによりリレー駆動回路は、省エネルギーを計りながら、テレビジョン装置の各回路部（図示せず）に対して主電源電圧の供給を自動的に復帰させることができ、かくして動作信頼性が高まる。
【００９２】
なお第４の実施の形態においては、コントローラ３１がトランジスタＱ５のベースに定期的に可動時間分だけ論理レベルが「Ｈｉ」になされたパルス信号Ｓ８０を供給する場合について述べたが、本発明はこれに限らず、第２の実施の形態において上述したように、主電源回路３の出力電圧を常時監視すると共に、トランスＴ１の出力電圧を常時監視し、検知した電圧（電流）の変化に応じてパルス信号の供給を変更するようにしても良い。この場合もリレー駆動装置は、テレビジョン装置の各回路部に対して動作信頼性を高めることができる。
【００９３】
すなわち、主電源スイッチＳＷがオン動作した（すなわち可動鉄片１５がリレーコイルＲＬ１内の鉄心１６に吸着された）状態において、コントローラ３１は、主電源回路３の出力電圧（出力電流）及びトランスＴ１の出力電圧を常時監視し、トランスＴ１の出力電圧が供給されているにもかかわらず、主電源回路３の出力電圧が供給されていないことを検知すると、コントローラ３１は、例えば外部の衝撃等、鉄心１６から可動鉄片１５が離間し、主電源スイッチＳＷがオフ状態であると判断することにより、このときトランジスタＱ５のベースに与えられていた論理レベルを順次切り換えるようになされたパルス信号に換えて、可動時間分だけ論理レベルを「Ｈｉ」にしたパルス信号をトランジスタＱ５のベースに供給し、リレーコイルＲＬ１に定格電流が供給されるようにする。従って離間した可動鉄片１５は、リレーコイルＲＬ１内の鉄心１６に再び吸着することになり、これにより主電源スイッチＳＷは、オン状態になる。従ってリレー駆動回路は、鉄心１６から可動鉄片１５が離間した場合においても、これを検知することにより再びリレーコイルＲＬ１に定格電圧Ｖ１を供給させることができる。すなわちリレー駆動回路は、可動鉄片１５の可動及び吸着を自動的に復帰させることになり、テレビジョン装置の各回路部に対して主電源電圧の供給を自動的に復帰させることができ、かくして動作信頼性を高めることができる。
【００９４】
また主電源スイッチがオン動作した状態において、コントローラ３１は、トランスＴ１の出力電圧を常時監視し、トランスＴ１の出力電圧が電圧低下していることを検知したとき、このときトランジスタＱ５のベースに与えられている論理レベルを順次切り換えるようになされたパルス信号に換えて、可動時間分だけ論理レベルを「Ｈｉ」にしたパルス信号を供給し、リレーコイルＲＬ１に定格電圧が供給されるようにする。これによりコントローラ３１は、保持電流を供給していたときよりも可動鉄片１５を鉄心１６に一段と強固に吸着させる。従ってリレー駆動回路においては、商用電源（図示せず）の電圧低下による可動鉄片１５のリレーコイルＲＬ１からの離間を回避することになり、テレビジョン装置の各回路部に対して常時主電源電圧を供給することができ、かくして動作信頼性を高めることができる。
【００９５】
このように、主電源回路３の出力電圧を常時監視すると共に、トランスＴ１の出力電圧を常時監視し、検知した電圧（電流）の変化に応じてパルス信号の供給を変更するようにしてもテレビジョン装置の各回路部に対して動作信頼性を高めることができる。
【００９６】
（５）第５の実施の形態
図１との対応部分に同一符号を付して示す図８において、９０は全体としてテレビジョン装置内のリレー駆動回路を示し、主電源スイッチＳＷをオン動作させる場合、ユーザが例えばリモートコマンダ等の入力手段２から主電源を入れる所定の入力操作を行うと、入力手段２は当該操作に応じて供給される操作信号Ｓ１をコントローラ４１に供給する。
【００９７】
コントローラ４１には入力端４を介して定格電圧をラッチングリレーＲＬ２に供給するＮＰＮ型トランジスタＱ６及びＱ７とが接続されており、コントローラ４１は入力手段２から操作信号Ｓ１を受けると、トランジスタＱ６のベース電圧を上げる。これによりトランジスタＱ６はオン動作し、定格電圧をラッチングリレーＲＬ２に供給する。
【００９８】
ここで図３との対応部分に同一符号を付して示す図９は、スイッチ動作部２０（図８）におけるラッチングリレーＲＬ２と主電源スイッチＳＷとの動作関係を示し、トランジスタＱ６が定格電圧をラッチングリレーＲＬ２に供給した場合において、入力端４（図８）及びコイル出力端１７を順次介して定格電圧が流れることになる。
【００９９】
この場合ラッチングリレーＲＬ２内の永久磁石２６には、可動鉄片１５を可動させるに十分な磁力が矢印ｅ方向に発生する。これによりラッチングリレーＲＬ２は、永久磁石２６に可動鉄片１５を可動及び吸着させ、主電源スイッチＳＷをオン動作させる。
【０１００】
また可動鉄片１５がラッチングリレーＲＬ２内の永久磁石２６に吸着された状態において、コントローラ４１はトランジスタＱ６をオン動作させてから所定の時間が経過すると、当該トランジスタＱ６をオフ動作（すなわちトランジスタＱ６のベース電圧を下げる）させるようになされている。
【０１０１】
この場合、ラッチングリレーＲＬ２には、定格電圧が供給されない。しかし、ラッチングリレーＲＬ２内の永久磁石２６には、当該永久磁石２６に可動鉄片１５が吸着されたとき、この吸着状態を維持するだけの磁力が矢印ｅ方向にもともと発生されており、これにより吸着状態は、定格電圧が供給されなくとも保持され、これにより主電源スイッチＳＷはオン状態のまま維持される。
【０１０２】
このようにコントローラ４１は、ラッチングリレーＲＬ２に定格電圧を供給させることにより永久磁石２６に可動鉄片１５を可動及び吸着させてから所定の時間が経過すると、当該定格電圧の供給を停止させる。しかし吸着状態は、一旦永久磁石２６に可動鉄片１５を吸着させると、もともと永久磁石２６がもつ磁力により維持される。従ってこの場合の消費電力は、一旦永久磁石２６に可動鉄片１５を可動及び吸着させる定格電圧を所定の時間ラッチングリレーＲＬ２に供給するのみで良いことになり、より一段と削減されることになる。従ってリレー駆動回路９０は、省エネルギーを計ることができる。
【０１０３】
さらにコントローラ４１は、定期的にトランジスタＱ６のベース電圧を所定の時間分だけ上げるようになされており、これにより、ラッチングリレーＲＬ２には、定期的に定格電圧が供給されることになる。
【０１０４】
従って外部衝撃等により主電源スイッチＳＷがオフ状態となった場合においても、ラッチングリレーＲＬ２には、入力端４から定格電圧が定期的に供給されることにより、ラッチングリレーＲＬ２は、このとき得られる磁力により可動鉄片１５を再び永久磁石２６に可動及び吸着させることができ、これにより主電源スイッチＳＷを再びオン動作させる。
【０１０５】
因みに主電源スイッチＳＷをオフ動作させる場合、ユーザが例えばリモートコマンダ等の入力手段２から主電源を切る所定の入力操作を行うと、入力手段２は当該操作に応じて供給される操作信号Ｓ１をコントローラ４１に供給する。これによりコントローラ４１は、トランジスタＱ７のベース電圧を上げ、定格電圧をラッチングリレーＲＬ２に供給する。この場合ラッチングリレーＲＬ２には、可動鉄片１５を可動及び吸着するだけの磁力が永久磁石２６の磁力と反対方向である矢印ｃ方向（図８）に発生する。従ってこのときの磁力は、打ち消し合うことになり、その結果磁力は消失する。これにより可動鉄片１５は、ラッチングリレーＲＬ２内の永久磁石２６から離間することにより、主電源スイッチＳＷはオフ状態となる。このようにして主電源スイッチＳＷはオフ動作する。
【０１０６】
以上の構成において、コントローラ４１は、定期的に定格電圧を一定時間ラッチングリレーＲＬ２に供給するようにトランジスタＱ６を制御する。従ってラッチングリレーＲＬ２は、常時定格電圧が供給されなくとも可動鉄片１５の吸着を保持する。
【０１０７】
またコントローラ４１は、可動鉄片１５がラッチングリレーＲＬ２から離脱した場合においても、ラッチングリレーＲＬ２には定期的に定格電圧が供給されていることにより、離脱した可動鉄片１５を再びラッチングリレーＲＬ２に吸着させる。
【０１０８】
以上の構成によれば、リレー駆動回路９０にラッチングリレーＲＬ２を設け、コントローラ４１が定期的に定格電圧を一定時間ラッチングリレーＲＬ２に供給するように制御したことにより、一段と消費電力を抑え、かつ可動鉄片１５が離脱した場合においても再びラッチングリレーＲＬ２に吸着させることができる。これによりリレー駆動回路は、テレビジョン装置の各回路部（図示せず）に対して主電源電圧の供給を自動的に復帰させることができ、かくして信頼性が高まる。
【０１０９】
なお第５の実施の形態においては、コントローラ４１が定期的にラッチングリレーＲＬ２に定格電圧供給する場合について述べたが、本発明はこれに限らず、第２の実施の形態において上述したように、主電源回路の出力電圧を常時監視すると共に、トランスの出力電圧を常時監視し、検知した電圧（電流）の変化に応じてトランジスタＱ６をオン動作に切り換えるようにしても良い。この場合もリレー駆動回路は、テレビジョン装置の各回路部に対して動作信頼性を高めることができる。
【０１１０】
すなわち、主電源スイッチＳＷがオン動作した（すなわち可動鉄片１５がリレーコイルＲＬ２内の永久磁石２６に吸着された）状態において、コントローラ４１は、主電源回路の出力電圧（出力電流）及びトランスＴ１の出力電圧を常時監視し、トランスＴ１の出力電圧が供給されているにもかかわらず、主電源回路３の出力電圧が供給されていないことを検知すると、コントローラ４１は、例えば外部の衝撃等、鉄心２６から可動鉄片１５が離間し、主電源スイッチＳＷがオフ状態であると判断することにより、トランジスタＱ６のベース電圧を上げ、ラッチングリレーＲＬ２に定格電圧を供給する。従って離間した可動鉄片１５は、リレーコイルＲＬ２内の鉄心２６に再び吸着することになり、これにより主電源スイッチＳＷは、オン状態になる。従ってリレー駆動回路においては、鉄心２６から可動鉄片１５が離間した場合においても、これを検知することにより再びリレーコイルＲＬ２に定格電圧Ｖ１を供給させることができる。すなわちリレー駆動回路は、可動鉄片１５の可動及び吸着を自動的に復帰させることになり、テレビジョン装置の各回路部に対して主電源圧の供給を自動的に復帰させることができ、かくして動作信頼性を高めることができる。
【０１１１】
またラッチングリレーＲＬ２においては、永久磁石２６に可動鉄片１５が可動及び吸着すると、この吸着状態は、もともと永久磁石２６がもつ磁力により維持される。従つてコントローラ４１は、主電源スイッチＳＷを切る（すなわち吸着状態にあるラッチングリレーＲＬ２を離間させる）動作をしたにもかかわらず、ラッチングリレーＲＬ２は、吸着状態を維持している場合がある。この場合、コントローラ４１は、主電源スイッチＳＷを切る動作をしたにもかかわらず、主電源回路３の出力電圧が供給されていることを検知すると、ラッチングリレーＲＬ２が吸着状態を維持していると判断し、トランジスタＱ７のベース電圧を上げることにより、確実に電源を切ることができる。かくして動作信頼性を高めることができる。
【０１１２】
このように、主電源回路３の出力電圧を常時監視すると共に、トランスＴ１の出力電圧を常時監視し、検知した電圧（電流）の変化に応じてトランジスタＱ６をオン動作に切り換えるようにしてもテレビジョン装置の各回路部に対して動作信頼性を高めることができる。
【０１１３】
（６）他の実施の形態
なお上述の第１〜第５の実施の形態においては、テレビジョン装置内にリレー駆動回路を設ける場合について述べたが、本発明はこれに限らず、例えばビデオテープレコーダ等、リモートコントローラを用いて遠隔操作又はサブスイッチによる入切動作を有する電気機器、あるいは電話機及びパーソナルコンピュータ等、サブスイッチ以外の待機機能を有する電気機器、さらにはＡＣアダプタにより駆動電力を得る電気機器など、要は、電気的なスイッチ回路を有する装置に本発明によるリレー駆動装置（回路）を広く適用することができる。
【０１１４】
【発明の効果】
上述のように本発明によれば、商用電源電圧を、第１の直流電圧と、該第１の直流電圧よりも低いレベルとなる第２の直流電圧とに変換し、第１の直流電圧を用いてスイッチ素子を閉状態とし、第２の直流電圧を用いて閉状態を維持するリレーコイルに対する第１の直流電圧の印加を間欠させることで、省エネルギーを図りながら動作信頼性を高めることができる。
【図面の簡単な説明】
【図１】本発明の第１の実施の形態によるリレー駆動回路の全体構成を示すブロック図である。
【図２】トランジスタの電圧、リレーコイルの電圧及びリレーコイルの電流の相関関係を示す略線図である。
【図３】スイッチ動作部の構成を示すブロック図である。
【図４】本発明の第２の実施の形態によるリレー駆動回路の全体構成を示すブロック図である。
【図５】本発明の第３の実施の形態によるリレー駆動回路の全体構成を示すブロック図である。
【図６】本発明の第４の実施の形態によるリレー駆動回路の全体構成を示すブロック図である。
【図７】コントローラ出力とリレーコイルの電流との相関関係を示す略線図である。
【図８】本発明の第５の実施の形態によるリレー駆動回路の全体構成を示すブロック図である。
【図９】スイッチ動作部の構成を示すブロック図である。
【符号の説明】
１、１１、２１、３１、４１……コントローラ、２……入力手段、３……主電源回路、５０、６０、７０、８０、９０……リレー駆動回路、ＳＷ……主電源スイッチ、ＲＬ１……リレーコイル、ＲＬ２……ラッチングリレー、Ｑ１、Ｑ２、Ｑ３、Ｑ４、Ｑ５、Ｑ６、Ｑ７……トランジスタ、Ｄ１……サージ吸収ダイオード、１５……可動鉄片、１６……鉄心、２６……永久磁石。
【図１】
0004378585.tif 000002
【図２】
0004378585.tif 000003
【図３】
0004378585.tif 000004
【図４】
0004378585.tif 000005
【図５】
0004378585.tif 000006
【図６】
0004378585.tif 000007
【図７】
0004378585.tif 000008
【図８】
0004378585.tif 000009
【図９】
0004378585.tif 000010